【手続補正書】
【提出日】平成22年1月18日(2010.1.18)
【手続補正１】
【補正対象書類名】特許請求の範囲
【補正対象項目名】全文
【補正方法】変更
【補正の内容】
【特許請求の範囲】
【請求項１】
第１ストレージコントローラと、第２ストレージコントローラと、前記第１ストレージコントローラ及び前記第２ストレージコントローラに接続されるホスト計算機と、を備える計算機システムにおけるパス管理方法であって、
前記第１ストレージコントローラは、第１ボリュームを前記ホスト計算機に提供し、
前記第２ストレージコントローラは、前記第１ボリュームとペアを構成する第２ボリュームを前記ホスト計算機に提供し、
前記ホスト計算機は、書込要求及び読出要求を発行する一つ以上の業務アプリケーション部と、前記各ボリュームへのアクセス経路を管理するパス管理部と、を備え、
前記パス管理部は、
前記ホスト計算機から前記第１ボリュームへのアクセス経路である複数の第１パスと、前記ホスト計算機から前記第２ボリュームへのアクセス経路である複数の第２パスと、を設定し、
前記第１ボリューム及び前記第２ボリュームを、第３ボリュームとして前記業務アプリケーション部に提供し、
前記業務アプリケーション部から前記第３ボリュームに対して発行された書込要求を、前記第１パスを経由して送信することを特徴とするパス管理方法。
【請求項２】
前記ペアは、コピーペアであり、
前記計算機システムは、更に、前記第１ストレージコントローラに接続される第１物理ディスクと、前記第２ストレージコントローラに接続される第２物理ディスクと、を備え、
前記パス管理方法は、
前記第２ストレージコントローラが、前記第２物理ディスクの記憶領域を、前記第２ボリュームとして前記ホスト計算機に提供し、
前記第１ストレージコントローラは、
前記第１物理ディスクの記憶領域を、前記第１ボリュームとして前記ホスト計算機に提供し、
前記第１パスを経由して送信された書込要求を受信し、
前記受信した書込要求に従って、データを前記第１ボリュームに書き込み、
前記第１ボリュームに書き込まれたデータを、前記第２ボリュームへコピーすることを特徴とする請求項１に記載のパス管理方法。
【請求項３】
前記パス管理部は、前記第１ボリューム及び前記第１パスの少なくとも一方の障害を検出した場合、前記業務アプリケーション部から前記第３ボリュームに対して発行された書込要求を、前記第２パスを経由して送信し、
前記第２ストレージコントローラは、
前記第２パスを経由して送信された書込要求を受信し、
前記受信した書込要求に従って、データを前記第２ボリュームに書き込み、
前記第２ボリュームに書き込まれたデータを、前記第１ボリュームへコピーすることを特徴とすることを特徴とする請求項２に記載のパス管理方法。
【請求項４】
前記ペアは、外部接続ペアであり、
前記計算機システムは、更に、前記第２ストレージコントローラに接続される第２物理ディスクを備え、
前記パス管理方法は、
前記第２ストレージコントローラが、
前記第２物理ディスクの記憶領域を、前記第２ボリュームとして前記ホスト計算機及び前記第１ストレージコントローラに提供し、
前記第１ストレージコントローラは、
前記第２ストレージコントローラによって提供された第２ボリュームを、前記第１ボリュームとして前記ホスト計算機に提供し、
前記第１パスを経由して送信された書込要求を受信し、
前記受信した書込要求に従って、データを前記第２ボリュームへ書き込むことを、前記第２ストレージコントローラに要求することを特徴とする請求項１に記載のパス管理方法。
【請求項５】
前記パス管理部は、前記第１ボリューム及び前記第１パスの少なくとも一方の障害を検出した場合、前記業務アプリケーション部から前記第３ボリュームに対して発行された書込要求を、前記第２パスを経由して送信し、
前記第２ストレージコントローラは、
前記第２パスを経由して送信された書込要求を受信し、
前記受信した書込要求に従って、データを前記第２ボリュームに書き込むことを特徴とする請求項４に記載のパス管理方法。
【請求項６】
前記パス管理部は、
第１ボリュームのデータと第２ボリュームのデータとが同期している場合、前記業務アプリケーション部から前記第３ボリュームに対して発行された読出要求を、前記第１パス又は前記第２パスのいずれかを経由して送信し、
第１ボリュームのデータと第２ボリュームのデータとが同期していない場合、前記業務アプリケーション部から前記第３ボリュームに対して発行された読出要求を、前記第１パスを経由して送信することを特徴とする請求項１に記載のパス管理方法。
【請求項７】
前記パス管理部は、前記第１ボリュームから前記第２ボリュームへのアクセス経路である第３パスの障害を検出した場合、前記業務アプリケーション部から前記第３ボリュームに対して発行された書込要求を、前記第１パス及び前記第２パスの双方を経由して送信することを特徴とする請求項１に記載のパス管理方法。
【請求項８】
前記書込要求を送信する処理は、前記パス管理部が、
前記複数の第１パスの中から、正常な第１パスを選択し、
前記選択された正常な第１パスの中から、ラウンドロビンによって第１パスを選択し、
前記業務アプリケーション部から前記第３ボリュームに対して発行された書込要求を、前記選択された第１パスを経由して送信することを特徴とする請求項１に記載のパス管理方法。
【請求項９】
第１ボリュームを提供する第１ストレージコントローラと、前記第１ボリュームとペアを構成する第２ボリュームを提供する第２ストレージコントローラと、に接続されるホスト計算機であって、
書込要求及び読出要求を発行する一つ以上の業務アプリケーション部と、前記各ボリュームへのアクセス経路を管理するパス管理部と、を備え、
前記パス管理部は、
前記ホスト計算機から前記第１ボリュームへのアクセス経路である複数の第１パスと、前記ホスト計算機から前記第２ボリュームへのアクセス経路である複数の第２パスと、を設定し、
前記第１ボリューム及び前記第２ボリュームを、第３ボリュームとして前記業務アプリケーション部に提供し、
前記業務アプリケーション部から前記第３ボリュームに対して発行された書込要求を、前記第１パスを経由して送信することを特徴とするホスト計算機。
【請求項１０】
前記パス管理部は、前記第１ボリューム及び前記第１パスの少なくとも一方の障害を検出した場合、前記業務アプリケーション部から前記第３ボリュームに対して発行された書込要求を、前記第２パスを経由して送信することを特徴とする請求項９に記載のホスト計算機。
【請求項１１】
前記パス管理部は、
第１ボリュームのデータと第２ボリュームのデータとが同期している場合、前記業務アプリケーション部から前記第３ボリュームに対して発行された読出要求を、前記第１パス又は前記第２パスのいずれかを経由して送信し、
第１ボリュームのデータと第２ボリュームのデータとが同期していない場合、前記業務アプリケーション部から前記第３ボリュームに対して発行された読出要求を、前記第１パスを経由して送信することを特徴とする請求項９に記載のホスト計算機。
【請求項１２】
前記パス管理部は、前記第１ボリュームから前記第２ボリュームへのアクセス経路である第３パスの障害を検出した場合、前記業務アプリケーション部から前記第３ボリュームに対して発行された書込要求を、前記第１パス及び前記第２パスの双方を経由して送信することを特徴とする請求項９に記載のホスト計算機。
【請求項１３】
前記パス管理部は、
前記複数の第１パスの中から、正常な第１パスを選択し、
前記選択された正常な第１パスの中から、ラウンドロビンによって第１パスを選択し、
前記業務アプリケーション部から前記第３ボリュームに対して発行された書込要求を、前記選択された第１パスを経由して送信することを特徴とする請求項９に記載のホスト計算機。
【請求項１４】
第１ボリュームを提供する第１ストレージコントローラと、前記第１ボリュームとペアを構成する第２ボリュームを提供する第２ストレージコントローラと、に接続され、業務アプリケーションを実行するホスト計算機に、
前記ホスト計算機から前記第１ボリュームへのアクセス経路である複数の第１パスと、前記ホスト計算機から前記第２ボリュームへのアクセス経路である複数の第２パスと、を設定する処理と、
前記第１ボリューム及び前記第２ボリュームを、第３ボリュームとして前記業務アプリケーションに提供する処理と、
前記業務アプリケーションから前記第３ボリュームに対して発行された書込要求を、前記第１パスを経由して送信する処理と、を実行させることを特徴とするパス管理プログラム。
【請求項１５】
更に、前記第１ボリューム及び前記第１パスの少なくとも一方の障害を検出した場合、前記業務アプリケーションから前記第３ボリュームに対して発行された書込要求を、前記第２パスを経由して送信する処理を、前記ホスト計算機に実行させることを特徴とする請求項１４に記載のパス管理プログラム。
【請求項１６】
更に、第１ボリュームのデータと第２ボリュームのデータとが同期している場合、前記業務アプリケーションから前記第３ボリュームに対して発行された読出要求を、前記第１パス又は前記第２パスのいずれかを経由して送信する処理と、
第１ボリュームのデータと第２ボリュームのデータとが同期していない場合、前記業務アプリケーションから前記第３ボリュームに対して発行された読出要求を、前記第１パスを経由して送信する処理と、を前記ホスト計算機に実行させることを特徴とする請求項１４に記載のパス管理プログラム。
【請求項１７】
更に、前記第１ボリュームから前記第２ボリュームへのアクセス経路である第３パスの障害を検出した場合、前記業務アプリケーションから前記第３ボリュームに対して発行された書込要求を、前記第１パス及び前記第２パスの双方を経由して送信する処理を、前記ホスト計算機に実行させることを特徴とする請求項１４に記載のパス管理プログラム。
【請求項１８】
前記書込要求を送信する処理は、
前記複数の第１パスの中から、正常な第１パスを選択する処理と、
前記選択された正常な状態の第１パスの中から、ラウンドロビンによって第１パスを選択する処理と、
前記業務アプリケーションから前記第３ボリュームに対して発行された書込要求を、前記選択された第１パスを経由して送信する処理と、を含むことを特徴とする請求項１４に記載のパス管理プログラム。